(57)【要約】【課題】防災用ヘルメットを支持するスタンドに防災用具を収納できるようにし、災害時に直ちに防災用ヘルメットの着用と防災用具を持ち運べるようになるとともに、美観を損なうことなく防災用ヘルメットを常備できる。【解決手段】プラスチック材よりなる椀状の防災用ヘルメット１を支持するスタンド本体３であって、このスタンド本体３は下端に底部４ａを有する中空円筒体の支柱４よりなり、前記支柱４の上端を前記防災用ヘルメット１の頭頂部１ａの内面に固定した支持部材２に着脱可能に取付けるようにする。【選択図】図２
2016098474.tif 000002
【特許請求の範囲】
【請求項１】
プラスチック材よりなる椀状の防災用ヘルメットを支持するスタンド本体であって、このスタンド本体は下端に底部を有する中空円筒体の支柱よりなり、前記支柱の上端を前記防災用ヘルメットの頭頂部の内面に固定した支持部材に着脱可能に取付けることを特徴とする防災用ヘルメットのスタンド装置。
【請求項２】
前記防災用ヘルメットの前記頭頂部に貫通孔を開口し、この貫通孔内に照明灯を設置するとともに、前記防災用ヘルメットの外表面に前記照明灯に接続する電源を装着し、前記防災用ヘルメットを前記スタンド本体に着脱可能に取付けることを特徴とする請求項１に記載の防災用ヘルメットのスタンド装置。
【請求項３】
前記スタンド本体は分割された長手方向の中間に小径部を形成する空円筒体の下側支柱と、下端から上端に向かい拡開するテーパ状の中空円筒体の上側支柱とを連結してなり、前記上側支柱の上端を前記防災用ヘルメットの前記頭頂部の内面に設けた前記支持部材に着脱可能に取付けることを特徴とする請求項１または２に記載の防災用ヘルメットのスタンド装置。
【発明の詳細な説明】
【技術分野】
【０００１】  この発明は、防災用品などが収納できる防災用ヘルメットのスタンド装置に関するものである。
【背景技術】
【０００２】  従来から地震などの災害に対応するため各家庭においては、ヘルメット、手袋、懐中電灯、貴重品、救急薬品などの防災用品を常備しているが、これらの防災用品が家内のそれぞれの場所に散在して置かれることが多く、緊急時に集めて持ち出すことが面倒であった【０００３】  そこで、特許文献１のように手袋、懐中電灯、貴重品、救急薬品などの小物の防災用品はまとめて箱に収納すると、緊急時に持ち出すことは容易にできるが、ヘルメットのような大物の防災用品は収納できず、このヘルメットにおいては、部屋や玄関などの壁に掛けている。【０００４】  このように、ヘルメットを部屋や玄関の壁に掛けると、目につき易いので忘れずに着用することはできるが、防災用品の小物は探すことなり、緊急時に持ち出すことができないことになる。
【先行技術文献】
【特許文献】
【０００５】
【特許文献１】実開昭６１−１５６５１６号公報
【発明の概要】
【発明が解決しようとする課題】
【０００６】  このため、小物の防災用品はまとめて箱に収納して、室内の目立たない場所に置くことにしても、ヘルメットなどの大物の防災用品を目につき易い部屋の壁に掛けていると部屋の美観を損なうことなになり万全な対策ではなかった。【０００７】  この発明は、以上のような点を考慮してなされたもので、緊急時に持ち運びできるような状態にした防災用品を部屋の美観を損なうことがなく常備できる防災ヘルメットのスタンド装置を提供することを目的とする。
【課題を解決するための手段】
【０００８】  前記課題を解決し、かつ目的を達成するために、この発明は、以下のように構成した。【０００９】  請求項１に記載の発明は、プラスチック材よりなる椀状の防災用ヘルメットを支持するスタンド本体であって、このスタンド本体は下端に底部を有する中空円筒体の支柱よりなり、前記支柱の上端を前記防災用ヘルメットの頭頂部の内面に固定した支持部材に着脱可能に取付けることを特徴とする防災用ヘルメットのスタンド装置である。【００１０】  請求項２に記載の発明は、前記防災用ヘルメットの前記頭頂部に貫通孔を開口し、この貫通孔内に照明灯を設置するとともに、前記防災用ヘルメットの外表面に前記照明灯に接続する電源を装着し、前記防災用ヘルメットを前記スタンド本体に着脱可能に取付けることを特徴とする請求項１に記載の防災用ヘルメットのスタンド装置である。【００１１】  請求項３に記載の発明は、前記スタンド本体は分割された長手方向の中間に小径部を形成する空円筒体の下側支柱と、下端から上端に向かい拡開するテーパ状の中空円筒体の上側支柱とを連結してなり、前記上側支柱の上端を前記防災用ヘルメットの前記頭頂部の内面に設けた前記支持部材に着脱可能に取付けることを特徴とする請求項１または２に記載の防災用ヘルメットのスタンド装置である。
【発明の効果】
【００１２】  前記構成により、この発明は、以下のような効果を有する。【００１３】  請求項１に記載の発明では、プラスチック材よりなる椀状の防災用ヘルメットを支持するスタンド本体であって、このスタンド本体は下端に底部を有する中空円筒体の支柱よりなり、前記支柱の上端を前記防災用ヘルメットの頭頂部の内面に固定した支持部材に着脱可能に取付けるので、前記支柱の中空筒体内には、手袋、貴重品、保存食、救急薬品、ラジオなどの防災用品を収納して、前記ヘルメットを支持する前記スタンド本体として卓上に載置できる。【００１４】  請求項２に記載の発明では、前記防災用ヘルメットの前記頭頂部に貫通孔を開口し、この貫通孔内に照明灯を設置するとともに、前記防災用ヘルメットの外表面に前記照明灯に接続する電源を装着し、前記防災用ヘルメットを前記スタンド本体に着脱可能に取付けるので、前記支柱の中空筒体内に手袋、貴重品、保存食、救急薬品、ラジオなどの防災用品を収納して、前記ヘルメットを前記スタンド本体に支持させて卓上に載置すれば、室内の照明として使用することができる。【００１５】  請求項３に記載の発明では、前記スタンド本体は分割された長手方向の中間に小径部を形成する空円筒体の下側支柱と、下端から上端に向かい拡開するテーパ状の中空円筒体の上側支柱とを連結してなり、前記上側支柱の上端を前記防災用ヘルメットの前記頭頂部の内面に設けた前記支持部材に着脱可能に取付けるので、前記防災用品は前記上側支柱の拡開する上端より容易に挿入でき、しかも、前記支柱は前記下側支柱と前記上側支柱が分割されているので、長手方向に大容量になるような中空筒体が容易に作製でき、製造コストを低減できる。
【図面の簡単な説明】
【００１６】
【図１】この発明の第１の実施の態様を示す側面図。
【図２】図１のＡ−Ａ線に沿う断面図。
【図３】この発明の第２の実施の態様を示す平面図。
【図４】図３のＢ−Ｂ線に沿う断面図。
【発明を実施するための形態】
【００１７】  以下、この発明のヘルメットスタンド装置の実施の形態について説明する。この発明の実施の形態は、発明の最も好ましい形態を示すものであり、この発明にこれは限定されない。
【００１８】  この発明の第１の実施の態様を図１および図２に基づいて説明する。符号１はプラスチック材よりなる椀状の防災用ヘルメットで、この防災用ヘルメット１の頭頂部１ａの内面に環状の支持部材２を固定する。
なお、前記防災用ヘルメット１の表面には視認性を良くするため、蛍光テープ、蛍光塗料などの蛍光材料が装着されている。
【００１９】  前記防災用ヘルメット１はスタンド本体３に支持され、このスタンド本体３は下端に底部４ａを有する中空筒体の支柱４よりなり、この支柱４は下側支柱４１と上側支柱４２とに分割されている。
【００２０】  前記下側支柱４１の長手方向の中間に小径部４ｂを形成して握り易くし、しかも、表面を凹凸状にして滑りを難くしている。
また、前記上側支柱４２は下端から上端に向かい拡開するテーパ状にし、下端を前記下側支柱４１の先端に嵌合して連結するとともに、上端を前記防災用ヘルメット１の頭頂部１ａの内面に固定した前記支持部材２に着脱可能に取付ける。
【００２１】  前記支柱４の中空筒体内には、手袋、貴重品、保存食、救急薬品、ラジオなどの防災用品を収納して、前記防災用ヘルメット１を支持する前記スタンド本体３として卓上に載置される。
【００２２】  また、前記防災用品は前記上側支柱４２の拡開する上端より容易に挿入でき、しかも、前記支柱４は前記下側支柱４１と前記上側支柱４２が分割されているので、長手方向に大容量になるような中空筒体が容易に作製でき、製造コストを削減できる。
【００２３】  次に、第２の実施の態様を図３および図４に基づいて説明する。この実施の形態において上述した実施の形態と同じ構成は同一の符号を付して説明する。
【００２４】  この実施の態様では、前記防災用ヘルメット１の前記頭頂部１ａに貫通孔５を開口し、この貫通孔５内にＬＥＤよりなる照明灯６を設置し、夜間の視野を確保するとともに、避難者の存在が視認できるようにする。
【００２５】  前記防災用ヘルメット１の外表面には前記照明灯６の電源となるソーラパネル７と、前記照明灯６の点灯及び消灯を操作するスイッチ８を装着する。
なお、前記ソーラパネ７は複数でもよいし、また、前記照明灯６の電源は乾電池にしてもよい。
【００２６】  前記照明灯６の上方で、前記貫通孔５を閉塞するように透明または半透明のカバー７を前記防災用ヘルメット１の外表面に設け、前記貫通孔５の下方には隔壁８ａを有する皿状前記支持部材８を固定し、これにより前記貫通孔５が閉塞され、雨水等の侵入を防ことができる。
【００２７】  また、前記支柱４の中空筒体内に手袋、貴重品、保存食、救急薬品、ラジオなどの防災用品を収納して、前記防災用ヘルメット１を支持する前記スタンド本体３として卓上に載置すれば、室内の照明として使用することができる。
【００２８】  以上の各実施の態様における防災用ヘルメットスタンド装置では、前記支柱４を前記支持部材２から取外せば、中空筒体内に収納した貴重品、保存食、救急薬品、手袋、ラジオなどの防災用品を取り出すことができ、前記支柱４の中空筒体内には、手袋、貴重品、保存食、救急薬品、ラジオなどの防災用品を収納して、前記防災用ヘルメット１を前記スタンド本体３に取付ければ室内の美観を損なうことはない。
【００２９】  また、前記支柱４の中空筒体内に手袋、貴重品、保存食、救急薬品、ラジオなどの防災用品を収納して、前記防災用ヘルメット１を支持する前記スタンド本体３として卓上に載置すれば、室内の照明として使用することができる。
【産業上の利用可能性】
【００３０】  この発明における防災用ヘルメットのスタンド装置は、防災用ヘルメットを支持するスタンドに防災用具を収納できるようにし、災害時に直ちに防災用ヘルメットの着用と防災用具を持ち運べるようにする。
【符号の説明】
【００３１】  １    防災用ヘルメット
１ａ  頭頂部
２    支持部材
３    スタンド本体
４    支柱
４ａ  底部
４ｂ  小径部
４１  下側支柱
４２  上側支柱
５    貫通孔
６    照明灯
７    カバー
８    皿状支持部材
８ａ  隔壁
９    ソーラパネル
１０  スイッチ
【図１】
2016098474.tif 000003
【図２】
2016098474.tif 000004
【図３】
2016098474.tif 000005
【図４】
2016098474.tif 000006